(57)【特許請求の範囲】
【請求項１】
遊技盤と、該遊技盤に形成された開口部に取り付けられ、前面側が開口した凹室を有するセンターケースとを備えた遊技機において、
前記センターケースは、
前記凹室を形成する凹室形成壁と、
前記凹室内に配設され、該凹室内で動作可能な演出部材と、
前記演出部材を駆動する駆動源と、
前記演出部材の後方に位置し、該演出部材と前記駆動源とを接続して該駆動源の動作に伴い前記演出部材を動作可能とするリンク機構と、
前記凹室内に固定され、前記リンク機構と前記演出部材との間に位置する隠蔽部材と、を備え、
前記隠蔽部材は、透過性を有する材質からなり、該隠蔽部材の裏面側に配置された発光部材からの光を透過可能とし、
前記演出部材は、該演出部材と前記隠蔽部材とで前記リンク機構を前方から見えないように覆うことができる範囲で動作可能であることを特徴とする遊技機。
【請求項２】
前記演出部材は、前記駆動源の動作に伴い、前記隠蔽部材を被覆する第１状態と、前記隠蔽部材を前方から視認可能とする第２状態との間で動作することを特徴とする請求項１に記載の遊技機。
【発明の詳細な説明】
【技術分野】
【０００１】
本発明は、遊技盤と、該遊技盤に形成された開口部に取り付けられ、前面側が開口した凹室を有するセンターケースとを備えた遊技機に関する。
【背景技術】
【０００２】
従来、センターケースに配設される演出用可動部材は、表示部における表示内容や遊技の進行状況によって所定の駆動源、例えばモータ等により動作することで遊技の興趣を向上させたり、遊技者に対して有利な遊技状態であることを報知したりする機能を有している。また、このような演出用可動部材が配設される際、装飾が施された演出部に対し、リンク機構や該リンク機構を覆うカバー部材、駆動源をなすモータ等が前後方向に配置されて、センターケースに取り付けられる構成が主である（例えば、特許文献１参照）。
【先行技術文献】
【特許文献】
【０００３】
【特許文献１】特開２００５−２７９２０号公報
【発明の概要】
【発明が解決しようとする課題】
【０００４】
しかし、上記特許文献における遊技機は、演出用可動部材が動作した際にリンク機構が遊技者に見えてしまい、見た目の印象が悪く、せっかくの装飾性が低下してしまう虞があった。
【０００５】
本発明の目的は、遊技盤と、該遊技盤に形成された開口部に取り付けられ、前面側が開口した凹室を有するセンターケースとを備えた遊技機において、遊技盤のスペースを有効に利用できるようにし、装飾性を向上することである。
【課題を解決するための手段】
【０００６】
以上の課題を解決するため、請求項１に記載の発明は、
遊技盤と、該遊技盤に形成された開口部に取り付けられ、前面側が開口した凹室を有するセンターケースとを備えた遊技機において、
前記センターケースは、
前記凹室を形成する凹室形成壁と、
前記凹室内に配設され、該凹室内で動作可能な演出部材と、
前記演出部材を駆動する駆動源と、
前記演出部材の後方に位置し、該演出部材と前記駆動源とを接続して該駆動源の動作に伴い前記演出部材を動作可能とするリンク機構と、
前記凹室内に固定され、前記リンク機構と前記演出部材との間に位置する隠蔽部材と、を備え、
前記隠蔽部材は、透過性を有する材質からなり、該隠蔽部材の裏面側に配置された発光部材からの光を透過可能とし、
前記演出部材は、該演出部材と前記隠蔽部材とで前記リンク機構を前方から見えないように覆うことができる範囲で動作可能であることを特徴とする。
【０００７】
ここで、「駆動源」とは、例えば、モータやソレノイドである。
【０００８】
請求項１に記載の発明によれば、センターケースは、凹室を形成する凹室形成壁と、凹室内に配設され、該凹室内で動作可能な演出部材と、演出部材を駆動する駆動源と、演出部材の後方に位置し、該演出部材と駆動源とを接続して該駆動源の動作に伴い演出部材を動作可能とするリンク機構と、凹室内に固定され、リンク機構と演出部材との間に位置する隠蔽部材と、を備え、隠蔽部材は、透過性を有する材質からなり、該隠蔽部材の裏面側に配置された発光部材からの光を透過可能とし、演出部材は、該演出部材と隠蔽部材とでリンク機構を前方から見えないように覆うことができる範囲で動作可能であるので、遊技盤のスペースを有効に利用でき、装飾性が向上する。
【０００９】
請求項２に記載の発明は、請求項１に記載の遊技機であって、
前記演出部材は、前記駆動源の動作に伴い、前記隠蔽部材を被覆する第１状態と、前記隠蔽部材を前方から視認可能とする第２状態との間で動作することを特徴とする。
【００１０】
請求項２に記載の発明によれば、演出部材は、駆動源の動作に伴い、隠蔽部材を被覆する第１状態と、隠蔽部材を前方から視認可能とする第２状態との間で動作するので、隠蔽部材を、リンク機構を隠蔽する目的の他に、演出にも用いることができ、凹室内における装飾部分の面積を大きくでき、遊技盤の装飾性を向上できる。すなわち、演出部材の動作による演出に加え、演出部材に被覆されて見えない状態の隠蔽部材が視認可能になることによる演出を行うことができ、装飾性を向上できる。さらに、隠蔽部材の視認可能となる部分に装飾を施したり、発光手段や表示手段を設けたりすれば、より演出効果を高められる。
【発明の効果】
【００１１】
本発明によれば、遊技盤のスペースを有効に利用でき、装飾性が向上する。
【図面の簡単な説明】
【００１２】
【図１】本発明を適用した一実施の形態の構成を示す遊技機の正面図である。
【図２】演出部材が第１状態となっている遊技盤の正面図である。
【図３】演出部材が第２状態となっている遊技盤の正面図である。
【図４】演出部材が第２状態となっている遊技盤の正面図であって、前面装飾部材を取り外した図である。
【図５】図４の前面側から見た斜視図である。
【図６】センターケースの前面側から見た斜視図である。
【図７】可動演出装置の前面側から見た分解斜視図である。
【図８】可動演出装置の裏面側から見た分解斜視図である。
【図９】ギアボックスを省略した可動演出部材の裏面図であって、演出部材が第１状態となっている図である。
【図１０】ギアボックスを省略した可動演出部材の裏面図であって、演出部材が第２状態となっている図である。
【発明を実施するための形態】
【００１３】
以下、この発明の実施形態について図面を参照して説明する。
ここでは、本発明にかかる遊技機の適例としてのパチンコ遊技機について図１から図１０を用いて説明を行う。
【００１４】
図１に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。
【００１５】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、を有する。
【００１６】
前面枠本体１３０は、矩形枠状の機枠１１０の前面側をちょうど覆うような概略矩形板状に構成されるとともに、その中央から上端部に渡る部分に、図２に示すような遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００１７】
また、前面枠本体１３０の遊技盤１が嵌め込まれた開口部、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁２に囲まれた部分が、遊技球が発射されて流下する遊技領域１ａとされている。
【００１８】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。クリア部材保持枠１４０には、前面枠本体１３０の開口部をほぼ閉塞するように、該開口部に嵌め込まれた遊技盤１との間に遊技球が流下可能な遊技領域１ａとなる間隔を開けて二重のガラス板１４１が固定されている。そして、クリア部材保持枠１４０において、遊技機１００の前側からガラス板１４１を介して遊技盤１の前面側の少なくとも遊技領域１ａの部分が視認可能となっている。また、クリア部材保持枠１４０の前面であって、ガラス板１４１が固定されて遊技領域１ａを視認可能とする部分の周囲には、枠装飾装置としての装飾ランプ・ＬＥＤ１４４、音声を出力するスピーカ１４５，１４５などが設けられている。
【００１９】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２０】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４及び灰皿１５５と、遊技領域１ａに向けての遊技球の発射操作を行うとともに、該遊技領域１ａに遊技球を発射する際の発射勢を調節するための操作ハンドル１５６、音声を出力するスピーカ１５７などが設けられている。
【００２１】
遊技盤１は、図２に示すように、各種部材の取付ベースとなる平板状の遊技盤本体１ｂ（木製もしくは合成樹脂製）を備え、該遊技盤本体１ｂの前面に、遊技領域区画壁２で囲まれた遊技領域１ａを有している。また、遊技盤本体１ｂの前面であって遊技領域区画壁２の外側には、前面構成部材３，３，…が取り付けられている。そして、この遊技領域区画壁２で囲まれた遊技領域１ａ内に発射装置から遊技球（打球；遊技媒体）を発射して遊技を行うようになっている。
【００２２】
遊技領域１ａ内には、普図始動ゲート４と、普図変動表示ゲームの未処理回数を表示する普図記憶表示器、普図の変動表示ゲームを表示する普図表示器が設けられている。また、遊技領域１ａ内には、第１始動入賞口１３（入賞装置）と、第２始動入賞口をなす普通変動入賞装置７（入賞装置）と、補助遊技としての特図変動表示ゲームの未処理回数を点灯表示する特図記憶表示器、特図変動表示ゲームを表示する特図表示器９が設けられている。なお、普図記憶表示器、普図表示器、特図記憶表示器、特図表示器９は、遊技状態を表す遊技状態表示ＬＥＤ１から６と併せて、セグメントＬＥＤ８として一体に設けられている。
【００２３】
さらに遊技領域１ａには、上端側が手前側に倒れる方向に回動して開放可能になっているアタッカ形式の開閉扉１０ａを有し、補助遊技としての特図変動表示ゲームの結果如何によって大入賞口を閉じた状態（遊技者にとって不利な状態）から開放状態（遊技者にとって有利な状態）に変換する特別変動入賞装置１０、入賞口などに入賞しなかった遊技球を回収するアウト穴１１が設けられている。この他、遊技領域１ａには、一般入賞口１２，１２，…、打球方向変換部材としての風車（図示略）、多数の障害釘（図示略）などが配設されている。
【００２４】
普図始動ゲート４内には、該普図始動ゲート４を通過した遊技球を検出するためのゲートＳＷが設けられている。そして、遊技領域１ａ内に打ち込まれた遊技球が普図始動ゲート４内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート４を遊技球が通過すると、普図始動記憶数の上限数未満でならば、普図始動記憶数が１加算されて普図始動記憶が１つ記憶されることとなる。なお、普図変動表示ゲームの始動記憶は、ＬＥＤを備える普図記憶表示器にて表示されるようになっている。
【００２５】
普図（普通図柄）変動表示ゲームは、セグメントＬＥＤ８に設けられた普図表示器で実行されるようになっている。なお、画像表示装置４１の表示領域の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普図変動表示ゲームの停止表示が特別の結果態様となれば、普図の当りとなって、普通変動入賞装置７の開閉部材７ａ，７ａが所定時間（例えば、０.５秒間）開放される。これにより、普通変動入賞装置７に遊技球が入賞しやすくなり、特図の変動表示ゲームの始動が容易となる。
【００２６】
普通変動入賞装置７は左右一対の開閉部材７ａ，７ａを具備し、第１始動入賞口１３の下部に配設され、この開閉部材７ａ，７ａは、常時は遊技球の直径程度の間隔をおいた閉じた状態（遊技者にとって不利な状態）を保持しているが、普図変動表示ゲームの結果が所定の停止表示態様となった場合には、駆動装置としてのソレノイドによって、逆「ハ」の字状に開いて普通変動入賞装置７に遊技球が流入し易い状態（遊技者にとって有利な状態）に変化させられるようになっている。
【００２７】
この普通変動入賞装置７と第１始動入賞口１３は、特図変動表示ゲームの始動入賞口も兼ねている。すなわち、普通変動入賞装置７と第１始動入賞口１３の内部（入賞領域）に備えられた始動口ＳＷによって遊技球を検出することに基づき、補助遊技としての特図変動表示ゲームを開始する始動権利が発生するようになっている。
【００２８】
この特図変動表示ゲームを開始する始動権利は、所定の上限数（例えば４）の範囲内で始動記憶（特図始動記憶）として記憶される。従って、特図変動表示ゲームが開始可能な状態で、且つ、始動記憶数が０の状態で、普通変動入賞装置７もしくは第１始動入賞口１３に遊技球が入賞すると、始動権利の発生に伴って始動記憶が記憶されて、始動記憶数が１加算されるととともに、直ちに始動記憶に基づいて、特図変動表示ゲームが開始され、この際に始動記憶数が１減算される。
【００２９】
一方、特図変動表示ゲームが直ちに開始できない状態、例えば、既に特図変動表示ゲームが行われ、その特図変動表示ゲームが終了していない状態や、特別遊技状態となっている場合に、普通変動入賞装置７もしくは第１始動入賞口１３に遊技球が入賞すると、始動記憶数が上限数未満ならば、始動記憶数が１加算されて始動記憶が１つ記憶されることになる。そして、始動記憶数が１以上となった状態で、特図変動表示ゲームが開始可能な状態（前回の特図変動表示ゲームの終了もしくは特別遊技状態の終了）となると、始動記憶数が１減算されるとともに、記憶された始動記憶に基づいて特図変動表示ゲームが開始される。なお、特図変動表示ゲームの始動記憶は、セグメントＬＥＤ８に設けられた特図記憶表示器にて表示されるようになっている。
【００３０】
補助遊技としての特図（特別図柄、識別情報）変動表示ゲームは、セグメントＬＥＤ８に設けられたに設けられた特図表示器９で実行されるようになっており、複数の識別情報を変動表示したのち、所定の結果態様を停止表示することで行われる。また、画像表示装置４１にて複数種類の識別情報（例えば、数字、記号、キャラクタ図柄など）を変動表示させる特図変動表示ゲームに対応した飾り特図変動表示ゲームが実行されるようになっている。そして、この特図変動表示ゲームの結果として、特図表示器９の表示態様が特別結果態様（たとえば「７」）となった場合には、大当たりとなって特別遊技状態（いわゆる、大当たり状態）となる。また、これに対応して画像表示装置４１の表示態様も特別結果態様（例えば、「７，７，７」等のゾロ目数字の何れか）となる。なお、遊技機に特図表示器９を備えずに、画像表示装置４１のみで特図変動表示ゲームを実行するようにしても良い。
【００３１】
また、遊技領域１ａの略中央には、特図変動表示ゲームの表示領域となる表示用窓部２２を形成するセンターケース２０が取り付けられている。このセンターケース２０に形成された表示用窓部２２の後方には、画像表示装置４１が配されるようになっている。この画像表示装置４１は、例えば、液晶ディスプレイを備え、表示内容が変化可能な表示部４２がセンターケース２０の表示用窓部２２を介して遊技盤１の前面側から視認可能となるように配されている。なお、画像表示装置４１は、液晶ディスプレイを備えるものに限らず、ＥＬ、ＣＲＴ等のディスプレイを備えるものであっても良い。
【００３２】
変動入賞装置としての特別変動入賞装置１０は、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせる。なお、開閉扉１０ａは、例えば、駆動装置としてのソレノイドにより駆動される。また、大入賞口の内部（入賞領域）には、該大入賞口に入った遊技球を検出するカウントＳＷが配設されている。
【００３３】
また、遊技領域１ａに設けられた各一般入賞口１２には、一般入賞口１２に入った遊技球を検出するための入賞口ＳＷが配設されている。そして、遊技を開始することにより遊技領域１ａ内に打ち込まれた遊技球が、一般入賞口１２，１２，…、普通変動入賞装置７、第１始動入賞口１３、特別変動入賞装置１０等の入賞口の何れかに入賞すると、それぞれの入賞口に対応した所定数の賞球が排出装置によって排出される（払い出される）ようになっている。
【００３４】
次にセンターケース２０の詳細について説明する。図２から６に示すように、遊技領域１ａの略中央に配されるセンターケース２０は、前面側が開口した所定の前後幅を有する凹室２１を備え、該凹室２１の後端部（最奥部）に形成された表示用窓部２２に画像表示装置４１の表示部４２が臨んでいる。そして、センターケース２０は、この凹室２１の周面を形成する凹室形成壁２３と、遊技の演出を行う演出部材２０１を凹室２１内に備える可動演出装置２００と、遊技盤１を装飾する前面装飾部材２４と、を備える。
【００３５】
図２，３，６に示すように、前面装飾部材２４は、センターケース２０の前端部を構成するもので、遊技盤１に形成された開口部１ｃの内周に沿って配される周囲壁２４ａと、該周囲壁２４ａの前端に形成された鍔状の取付部２４ｂとを有する。周囲壁２４ａは、凹室２１の周面の前端部分をなし、下側部分はステージ部２５の前方部２５ａが形成されている。
【００３６】
取付部２４ｂは、周囲壁２４ａに対して垂直に外側に向かって延出し、遊技盤１に形成された開口部１ｃの周縁よりも外側に延出するように形成されており、開口部１ｃに前面装飾部材２４を前面側から挿入した際に、遊技盤１の前面にその裏面が当接するようになっている。これによって、遊技盤１に対する前面装飾部材２４の前後位置が所定の前後位置に設定されるようになっている。また、この取付部２４ｂには、前後に貫通するねじ穴が複数形成されており、ねじによって前面装飾部材２４を遊技盤１に固定できるようになっている。さらに、取付部２４ｂは遊技盤１の前面側であって遊技者から視認可能な位置に配されるものであり、その前面には装飾が施されている。また、取付部２４ｂの前面であって、凹室２１の前面側から見た左側には、凹室２１の外側の遊技領域１ａから凹室２１内へ遊技球を誘導するワープ流路２４ｃが形成されている。
【００３７】
また、取付部２４ｂの前面であって、凹室２１の下側に形成されたステージ部２５の前側に位置する部分を除く凹室２１の上部及び側部には、装飾部２４ｄが形成されている。この装飾部は、遊技領域１ａから凹室２１内に直接遊技球が流入するのを防ぐ鎧部材としての機能も有するように、前方に向かって遊技領域１ａ内に突出するように配され、その前端が遊技領域１ａの前側を覆うクリア部材保持枠１４０の内側のガラス板１４１の裏面近傍に配置される。これにより、遊技領域１ａを流下する遊技球がセンターケース２０の上側および側部から凹室２１内へ進入することを防止し、表示部４２の視認性を確保するとともにステージ部２５上への遊技球の流入数を制限するようになっている。
【００３８】
図４，５に示すように、凹室形成壁２３は、遊技盤１に形成された開口部１ｃの後方に配されて、前面装飾部材２４と一体になって凹室２１の周面を形成するようになっている。この凹室形成壁２３の下側部分であって、凹室２１の底面を形成する下側の内周面には、ステージ部２５の中央部２５ｂ、後方部２５ｃが形成されており、ステージ部２５は前面装飾部材２４に形成された前方部２５ａと、この中央部２５ｂ、後方部２５ｃの３つの部分からなる。
【００３９】
図６に示すように、中央部２５ｂは後方部２５ｃよりも一段低く、前方部２５ａは中央部２５ｂよりも一段低く形成され、ステージ部２５は、後方部２５ｃから前方部２５ａへかけて下る階段状となっている。また、前方部２５ａ、中央部２５ｂ、後方部２５ｃはそれぞれ中央が上向きに突出した略Ｗ字状に形成され、上向きに突出した中央と、この中央の両側に位置する最も低くなった部分に、前方へ向かって下る傾斜面２５ｄが形成されている。また、中央部２５ｂにおける上向きに突出した中央の後端であって後方部２５ｃの前端面となる部分には、ステージ部２５の下方に形成された流下路２５ｅに連通する連通路２５ｆの流入口が形成され、この連通路２５ｆの前方所定範囲は、連通路２５ｆへ遊技球を誘導するように後方へ向かって下る傾斜面２５ｇが形成されている。
【００４０】
この流下路２５ｅは、ステージ部２５の遊技球が転動する面の下側をくぐり、ステージ部２５の前端に至る流路で、遊技領域１ａに臨む前面装飾部材２４の前端、すなわち、センターケース２０の前端に流出口が形成されている。センターケース２０の前端に位置する流下路２５ｅの出口の下方には、図２に示すように第１始動入賞口１３および普通変動入賞装置７が設けられている。つまり、この流下路２５ｅを流下した遊技球は、高い確率で第１始動入賞口１３もしくは普通変動入賞装置７に入賞することとなる。なお、流下路２５ｅに流入せず、ステージ部２５の前端部から遊技領域１ａに流下した遊技球は、流下路２５ｅを通過した場合よりは低い確率であるが、ステージ部２５の外を流下する遊技球よりは高い確率で第１始動入賞口１３もしくは普通変動入賞装置７に入賞する可能性がある。
【００４１】
また、図４から６に示すように、凹室形成壁２３の上側部分は、遊技の演出を行う可動演出装置２００に一体に形成されている。この可動演出装置２００の詳細については後述するが、凹室形成壁２３の内側となる位置には演出部材２０１、上部装飾部材２０４が配され、これら演出部材２０１、上部装飾部材２０４の下端と凹室形成壁２３の後端部で囲まれた領域が画像表示装置４１の表示部４２が臨む表示用窓部２２となる。そして、この表示用窓部２２を後方から覆うように画像表示装置４１が配され、表示部４２の画像が凹室２１を通して前面側から視認可能となるようにされている。
【００４２】
凹室２１の上部に配される可動演出装置２００は、凹室２１内で動作可能な演出部材２０１を備え、遊技の進行に合わせて、図２に示すように、表示部４２の前方から退避した第１状態と、図３に示すように、表示部４２の前方に位置する第２状態とに変換可能となっている。この可動演出装置２００は、図７，８に示すように、演出部材２０１と、該演出部材２０１を駆動する駆動源２１５や該駆動源２１５と演出部材２０１を接続するリンク機構２３０を備える駆動装置２１０と、リンク機構２３０を隠蔽する隠蔽部材２０２とを備える。また、凹室２１の周面を形成する凹室形成壁２３や、遊技盤１を装飾する上部装飾部材２０４を備える。
【００４３】
図７に示すように、駆動装置２１０は、前面側を構成する前方構成部２１１と後面側を構成する後方構成部２１２とからなるギアボックス２１３を有する。このギアボックス２１３は内部に収容空間２１４を有し、該収容空間２１４を含むギアボックス２１３の所定個所に駆動源２１５やリンク機構２３０が取り付けられている。このギアボックス２１３の前方構成部２１１の前面であって前面側から見た左端部は、駆動源２１５としてのモータが配された駆動源配設部２１１ａとされている。この駆動源配設部２１１ａには、図８に示すように、前後に貫通する駆動軸貫通孔２１１ｂが形成されており、駆動源２１５は駆動軸２１５ａが駆動軸貫通孔２１１ｂを通って収容空間２１４内に延出するように、駆動軸２１５ａが後方へ延出するような向きで取り付けられている。
【００４４】
収容空間２１４内に延出した駆動軸２１５ａには、第１ギア２３１が取り付けられている。そして、収容空間内には、この第１ギア２３１と噛み合うように後方から見て左側に第２ギア２３２が配され、さらに、この第２ギア２３２と噛み合うように後方から見て左側に第３ギア２３３が配されている。そして、駆動源２１５を動作して第１ギア２３１を回動することで、第２ギア２３２が回動するとともに第３ギア２３３が回動する。なお、第１ギア２３１が取り付けられた駆動源２１５の駆動軸２１５ａ、第２ギア２３２の回動軸２３２ａ、第３ギア２３３の回動軸２３３ａは、前方構成部２１１の裏面に対して垂直に配され、第１ギア２３１、第２ギア２３２、第３ギア２３３は前方構成部２１１の裏面に沿った面内で回動可能となっている。
【００４５】
第３ギア２３３の後面であって周面に隣接する位置には、回動軸２３３ａと平行に後方へ延出する第１接続軸２３３ｂが形成されている。この第１接続軸２３３ｂは、収容空間２１４内で第３ギア２３３の後方から左方へかけて配された第１リンク部材２３４に形成された第１接続孔２３４ｄに前側から挿入され、第３ギア２３３と第１リンク部材２３４を接続するようになっている。なお、第３ギア２３３の回動範囲は、第１接続軸２３３ｂが第３ギア２３３の裏面側から見た左半部の領域内で動作するような回動範囲とされ、駆動源２１５は第３ギア２３３をこのような回動範囲内で回動するように制御される。よって、第３ギア２３３の周面であって第１接続軸２３３ｂが形成された部分は第２ギア２３２と噛み合うことがなく、この部分には歯が形成されていない。また、ギアボックス２１３の後方構成部２１２には、第１接続軸２３３ｂの動作範囲に合わせて円弧状の開口２１２ａが形成されており、第１接続軸２３３ｂの後端はこの開口２１２ａから後面側に臨むようになっている。
【００４６】
第１リンク部材２３４は、略中央に前方構成部２１１の裏面に垂直に配される回動軸２３４ａを有し、この回動軸２３４ａから左右へ第１腕部２３４ｂ、第２腕部２３４ｃが延出するように配され、回動軸２３４ａを中心に前方構成部２１１の裏面に沿って回動可能とされている。この第１リンク部材２３４の後方から見て回動軸２３４ａの右側に延出する第１腕部２３４ｂは、その先端部に該第１腕部２３４ｂの延在方向に沿って延在する長孔状の第１接続孔２３４ｄが形成されている。この第１接続孔２３４ｄには、第３ギア２３３に形成された第１接続軸２３３ｂが前側から挿入されて、第１接続孔２３４ｄの延在方向に沿ってスライド可能とされており、これにより第３ギア２３３と第１リンク部材２３４が接続されるようになっている。上述したように、第３ギア２３３に形成された第１接続軸２３３ｂは、第３ギア２３３の裏面側から見た左半部の領域内で動作するようにされており、この動作に伴い第３ギア２３３に接続した第１腕部２３４ｂは回動軸２３４ａを中心に上下に動作するようになっている。
【００４７】
また、第１リンク部材２３４の後方から見て回動軸２３４ａの左側に延出する第２腕部２３４ｃは、その先端部に該第２腕部２３４ｃの延在方向に沿って延在する長孔状の第２接続孔２３４ｅが形成されている。この第２接続孔２３４ｅには、収容空間２１４内で第１リンク部材２３４の前側に配される第２リンク部材２３５の裏面に形成された第２接続軸２３５ｃが前側から挿入されて、第２接続孔２３４ｅの延在方向に沿ってスライド可能とされている。これにより第１リンク部材２３４と第２リンク部材２３５が接続されるようになっている。そして、第１リンク部材２３４は、第１接続軸２３３ｂに接続した第１腕部２３４ｂが上下に動作することで回動軸２３４ａを挟んで反対側に位置する第２腕部２３４ｃも上下に動作し、第２リンク部材２３５を上下に動作させるようになっている。
【００４８】
第２リンク部材２３５は、一端部に前方構成部２１１の裏面に垂直に配される回動軸２３５ａを有し、この回動軸２３５ａが後方から見て第１リンク部材２３４よりも左方に位置し、腕部２３５ｂが右方へ延出するように配されており、回動軸２３５ａを中心に前方構成部２１１の裏面に沿って回動可能とされている。この第２リンク部材２３５の腕部２３５ｂの中央部には、回動軸２３５ａと平行に後方へ延出する第２接続軸２３５ｃが形成されている。この第２接続軸２３５ｃは、上述したように、第２リンク部材２３５の後方に位置する第１リンク部材２３４に形成された第２接続孔２３４ｅに前側から挿入されて、第２接続孔２３４ｅの延在方向に沿ってスライド可能とされており、これにより第１リンク部材２３４と第２リンク部材２３５が接続されるようになっている。また、後方構成部２１２には、第２リンク部材２３５の動作範囲によって決まる第２接続軸２３５ｃの動作範囲に合わせて開口２１２ｂが形成されており、第２接続軸２３５ｃの後端はこの開口２１２ｂから後面側に臨むようになっている。
【００４９】
また、第２リンク部材２３５の腕部２３５ｂには、後方から見て第２接続軸２３５ｃよりも右方となる部分に、中央から右端部へかけて腕部２３５ｂの延在方向に沿って延在する長孔状の第３接続孔２３５ｄが形成されている。この第３接続孔２３５ｄには、前方構成部２１１の前面に配される第３リンク部材２３６の裏面に形成された第３接続軸２３６ｂが、前方構成部２１１に形成された接続軸貫通孔２１１ｄを介して前側から挿入されて、第３接続孔２３５ｄの延在方向に沿ってスライド可能とされている。これにより第２リンク部材２３５と第３リンク部材２３６が接続されるようになっている。そして、第２リンク部材２３５は、第１リンク部材２３４が上下に動作することにより、回動軸２３５ａを中心に上下に動作するようになっており、これに伴い第３リンク部材２３６が上下に動作するようになっている。
【００５０】
図７に示すように、第３リンク部材２３６は、前方構成部２１１の前面に設けられた平行な一対のガイド軸２１６，２１６に取り付けられ、前方構成部２１１に沿って移動可能に配されている。一対のガイド軸２１６，２１６は前方構成部２１１の前面に対して平行に配され、さらに、一対のガイド軸２１６，２１６も互いに平行に前面側から見て左側へ向かって下るように斜めに配されている。そして、第３リンク部材２３６の左右端部にはそれぞれ取付部２３６ａ，２３６ａが形成されており、この取付部２３６ａ，２３６ａがガイド軸２１６，２１６に対してスライド可能に取り付けられることで、ガイド軸２１６，２１６の延在方向に沿って移動可能に配されることとなる。また、前方構成部２１１の前面における第３リンク部材２３６の動作範囲となる領域は、周囲よりも一段後方に窪んだ第３リンク部材配設部２１１ｃとされている。
【００５１】
また、第３リンク部材２３６の裏面には、後方へ延出する第３接続軸２３６ｂが形成されており、前方構成部２１１には、ガイド軸２１６，２１６に沿って移動する第３リンク部材２３６に形成された第３接続軸２３６ｂの移動範囲に合わせて、前後に貫通する接続軸貫通孔２１１ｄが形成されている。これにより第３接続軸２３６ｂが接続軸貫通孔２１１ｄを通って収容空間２１４内に臨むようになっている。この第３接続軸２３６ｂは、上述したように、第２リンク部材２３５に形成された第３接続孔２３５ｄに前側から挿入されて、第３接続孔２３５ｄの延在方向に沿ってスライド可能とされており、これにより第２リンク部材２３５と第３リンク部材２３６が接続されるようになっている。
【００５２】
第３リンク部材２３６の上部には、付勢部材としての引張コイルばね２１７，２１７の一端を取り付ける付勢部材取付部２３６ｃ，２３６ｃが形成されている。この付勢部材取付部２３６ｃ，２３６ｃに一端が取り付けられる付勢部材としての引張コイルばね２１７，２１７は、ガイド軸２１６，２１６の延在方向（第３リンク部材２３６の移動方向）に沿って配され、他端は前方構成部２１１の前面上部に形成された付勢部材取付部２１１ｅ，２１１ｅに取り付けられるようになっている。これにより、第３リンク部材２３６はガイド軸２１６，２１６の延在方向に沿って上方向へ付勢され、外部から力がかかっていない状態では動作範囲における上端となる位置に配されるようになっている。
【００５３】
また、第３リンク部材２３６の左右端部に形成された取付部２３６ａ，２３６ａのうち、前面側から見て右側に位置する取付部２３６ａには、センサ検出部２３６ｄが形成されている。このセンサ検出部２３６ｄは、取付部２３６ａの側方に突出するとともに先端がガイド軸２１６に沿って上方へ突出した略Ｌ字状に形成されており、前方構成部２１１の前方に配される後述のＬＥＤ基板２０３の裏面に配された検出センサ２１８（図８に図示）によって検出可能となっている。さらに、第３リンク部材２３６の前面であって下部には、駆動装置２１０の前方に配される演出部材２０１と接続する演出部材接続部２３６ｅが形成されている。そして、第３リンク部材２３６は、第２リンク部材２３５が上下に動作することでガイド軸２１６，２１６に沿って上下に動作するようになっており、これに伴い演出部材２０１が上下に動作するようになっている。すなわち、第１リンク部材２３４、第２リンク部材２３５、第３リンク部材２３６が演出部材２０１の後方に位置し、該演出部材２０１と駆動源２１５とを接続して該駆動源２１５の動作に伴い演出部材２０１を動作可能とするリンク機構２３０をなす。なお、演出部材２０１は駆動源２１５の動作に伴い、第１状態と第２状態との間で動作するようになっているが、ガイド軸２１６，２１６を設けたことで、駆動源２１５の動作に誤差が生じても動作方向や動作範囲に誤差が生じず、確実に第１状態と第２状態の間で動作することが可能となる。
【００５４】
前方構成部２１１の前面には前方へ延出するように凹室形成壁２３が取り付けられる。この凹室形成壁２３は上側に突出する略円弧状に形成されており、第３リンク部材配設部２１１ｃはこの凹室形成壁２３の下側に位置するようになっている。すなわち第３リンク部材２３６は凹室２１の内部に配される。また、凹室形成壁２３の前面側から見た左端部は、駆動源配設部２１１ａの下側に配され、凹室形成壁２３の上面が駆動源２１５の下側の周面に沿って配されるようになっている。すなわち、駆動源２１５は凹室形成壁２３に隣接して凹室２１の外側に配される。また、前方構成部２１１に取り付けられた駆動源２１５の前端面は、凹室形成壁２３の前端と略同じ前後位置に配されている。
【００５５】
凹室形成壁２３の下側であって前方構成部２１１の前方の領域には、前方構成部２１１を覆うように、凹室形成壁２３の下面から前方構成部２１１の前面と平行に下側へ延出する隠蔽部材２０２、上部装飾部材２０４が配されている。隠蔽部材２０２は凹室形成壁２３の下側の領域のうち、第３リンク部材配設部２１１ｃの前方となる部分を含む前面側から見て左側部分を覆うように配される。この隠蔽部材２０２は、光を透過可能な材質からなるとともに光を散乱させるようなレンズ加工がなされた部材であり、裏面側には複数の発光部材としてのＬＥＤ２０３ａ，２０３ａ，…を前面に備えたＬＥＤ基板２０３が配されている。これにより、ＬＥＤ２０３ａ，２０３ａ，…からの光が隠蔽部材２０２を透して視認可能となり、光による装飾が可能となっている。
【００５６】
また、隠蔽部材２０２の下部であって、第３リンク部材２３６に形成された演出部材接続部２３６ｅの前方に位置する部分には切欠き状の接続用開口２０２ａが形成されており、ここを介して隠蔽部材２０２の裏面側に配される第３リンク部材２３６と隠蔽部材２０２の前面側に配される演出部材２０１とが接続される。この接続用開口２０２ａは、ガイド軸２１６，２１６に沿って移動する第３リンク部材２３６に形成された演出部材接続部２３６ｅの移動範囲に合わせて形成されている。
【００５７】
また、図８に示すように、ＬＥＤ基板２０３の裏面であって、第３リンク部材２３６の側部に形成されたセンサ検出部２３６ｄに対向する位置には、検出センサ２１８が配されている。この検出センサ２１８は、発光部２１８ａと受光部２１８ｂとが対向して配された光センサで、受光部２１８ｂにおいて発光部２１８ａからの光を検出することでＯＮ信号を出力するものである。この検出センサ２１８の詳細な取り付け位置は、図９に示すように、演出部材２０１が動作範囲における上端となる位置にある際に、センサ検出部２３６ｄが発光部２１８ａと受光部２１８ｂの間に配されるような位置に取り付けられている。
【００５８】
この検出センサ２１８においては、演出部材２０１が動作範囲における上端となる位置にあるときには、センサ検出部２３６ｄが検出センサ２１８の発光部２１８ａと受光部２１８ｂとの間に挿入された状態となり、発光部２１８ａからの光が遮られて受光部２１８ｂで検出不能な状態、すなわち検出センサ２１８がＯＦＦとなる。また、図１０に示すように、演出部材２０１が動作範囲における上端となる位置から下方に移動した位置にあるときは、センサ検出部２３６ｄが検出センサ２１８の発光部２１８ａと受光部２１８ｂの間から退避し、発光部２１８ａからの光を受光部２１８ｂで検出可能な状態、すなわち検出センサ２１８がＯＮとなる。これにより、検出センサ２１８を監視することで演出部材２０１の動作状態を検出することが可能となる。
【００５９】
また、図７に示すように、上部装飾部材２０４は凹室形成壁２３の下側の領域のうち、隠蔽部材２０２が配された部分を除く前面側から見て右側部分を覆うように配される。この上部装飾部材２０４の前面には、隠蔽部材２０２の前面側に配される演出部材２０１と一体となる装飾が施されている。また、上部装飾部材２０４の隠蔽部材２０２側の端面は、ガイド軸２１６，２１６の傾斜に沿った面とされ、隠蔽部材２０２の前方に配される演出部材２０１の端面と一致するようになっている。
【００６０】
演出部材２０１は、凹室形成壁２３の下側であって隠蔽部材２０２の前方に配される。この演出部材２０１は、上端が凹室形成壁２３の下側の面に沿った曲面とされているとともに、上部装飾部材２０４と隣接する端面がガイド軸２１６，２１６の傾斜に沿った面とされている。また演出部材２０１の前面には、上部装飾部材２０４と一体となる装飾が施されている。また、図８に示すように、演出部材２０１の裏面には、第３リンク部材２３６に形成された演出部材接続部２３６ｅと接続する接続部２０１ａが形成されており、この接続部２０１ａと演出部材接続部２３６ｅとが隠蔽部材２０２の下側に形成された接続用開口２０２ａを介して接続されている。
【００６１】
このような構成を有する可動演出装置２００は、図４，５に示すように、遊技盤１の裏面側に配されるようになっており、凹室形成壁２３が遊技盤１に形成された開口部１ｃの周縁に略沿うように配される。よって、凹室形成壁２３の上面に沿って配された駆動源２１５は、その一部が開口部１ｃの外側（開口部１ｃと前後に重ならない位置）に配される。また、凹室形成壁２３の前端は、遊技盤１の裏面に隣接して配されるようになっており、この凹室形成壁２３の前端と略同じ前後位置に配される駆動源２１５の前端面は、遊技盤本体１ｂの裏面に隣接して配される。このように駆動源２１５が凹室２１の側方に配されるので、その分、センターケース２０の後方のスペースを有効に利用できる。また、センターケース２０の奥行きを広げることも可能となるので、センターケース２０の内部のスペースを有効に利用できるようにもなる。これによって、大型の液晶表示装置や複雑な装飾部材をセンターケース２０に配置することができて、遊技盤１の装飾性を向上させることができる。さらに、立体的な可動役物を配設できるとともに、動作する空間を充分にとることができ、多彩な演出が可能となる。
【００６２】
以上のことから、遊技盤１と、該遊技盤１に形成された開口部１ｃに取り付けられ、前面側が開口した凹室２１を有するセンターケース２０とを備えた遊技機１００において、センターケース２０は、凹室２１を形成する凹室形成壁２３と、凹室２１内に配設され、該凹室２１内で動作可能な演出部材２０１と、演出部材２０１を駆動する駆動源２１５と、を備え、駆動源２１５を、凹室形成壁２３の外周面および遊技盤１の裏面に隣接するように配設するとともに、該駆動源２１５の全部または一部を開口部１ｃの外側の位置に配設するようにしたこととなる。
【００６３】
そして、可動演出装置２００は、図２に示すように、演出部材２０１が表示部４２の前方から退避した第１状態では、演出部材２０１の上端が凹室形成壁２３の下側の面に接するように配され、後方に配された隠蔽部材２０２の前面側を覆って隠蔽部材２０２を前面側から見えない状態となる。この第１状態では、図９に示すように、第３ギア２３３の第１接続軸２３３ｂが動作範囲における下端部に位置するようになっている。これにより、第１リンク部材２３４は、第１接続軸２３３ｂに接続した第１腕部２３４ｂが動作範囲における下端部に位置し、回動軸２３４ａを挟んだ側にある第２腕部２３４ｃが動作範囲における上端部に位置するようになる。
【００６４】
また、第２リンク部材２３５は、接続する第１リンク部材２３４の第２腕部２３４ｃが動作範囲における上端部に位置することで動作範囲における上端部に位置し、この第２リンク部材２３５に接続した第３リンク部材２３６が動作範囲における上端部に位置することとなる。よって、第３リンク部材２３６に接続した演出部材２０１は、動作範囲における上端部に位置することとなり、演出部材２０１が表示部４２の前方から退避した第１状態となる。なお、この第１状態が通常時における状態であり、第３リンク部材２３６が付勢部材をなす引張コイルばね２１７，２１７によって上方に付勢されることで、この第１状態が維持されるようになっている。
【００６５】
この第１状態から駆動源２１５を駆動することで、図３に示すように、演出部材２０１が表示部４２の前方に位置する第２状態に変換されることとなる。この変換過程においては、図９に示す状態から駆動源２１５を駆動して、第１ギア２３１を裏面側から見て時計回り方向に回動することで、第２ギア２３２を介して第３ギア２３３が時計回り方向に回動し、第１接続軸２３３ｂが上方へ回動する。そして、第１接続軸２３３ｂが上方へ回動するのに伴い、第１リンク部材２３４は、第１接続軸２３３ｂに接続した第１腕部２３４ｂが上方へ回動し、回動軸２３４ａを挟んで反対側にある第２腕部２３４ｃが下方へ回動する。
【００６６】
第２リンク部材２３５は第２腕部２３４ｃが下方へ回動するのに伴って下方に回動し、第３リンク部材２３６とこれに接続した演出部材２０１も下方に移動することとなる。このとき、第３リンク部材２３６は付勢部材をなす引張コイルばね２１７，２１７の付勢力に抗して下方へ移動することとなる。
【００６７】
そして、図１０に示すように、第３ギア２３３の第１接続軸２３３ｂが動作範囲における上端部に達すると、第１リンク部材２３４の第１腕部２３４ｂが動作範囲における上端部に位置するとともに、第２腕部２３４ｃが動作範囲における下端部に位置するようになる。また、第２リンク部材２３５は動作範囲における下端部に位置するようになり、第３リンク部材２３６とこれに接続した演出部材２０１が、動作範囲における下端部に位置することとなり、図３に示すように、演出部材２０１が表示部４２の前方に位置する第２状態となる。
【００６８】
この第２状態では、演出部材２０１の後方に位置していた隠蔽部材２０２が前方から視認可能な状態となる。この隠蔽部材２０２は裏面側に配されたＬＥＤ２０３ａ，２０３ａ，…の光を透過可能なレンズ部材であり、演出部材２０１が第２状態となることで光による装飾が可能となる。これにより、隠蔽部材２０２をリンク機構２３０を隠蔽する目的の他に、演出にも用いることができ、凹室２１内における装飾部分の面積を大きくでき、遊技盤１の装飾性を向上できる。すなわち、演出部材２０１の動作による演出に加え、演出部材２０１に被覆されて見えない状態の隠蔽部材２０２が視認可能になることによる演出を行うことができ、装飾性を向上できる。
【００６９】
また、第２状態では演出部材２０１が隠蔽部材２０２に対して下方に位置することとなるが、演出部材２０１は、該演出部材２０１と隠蔽部材２０２とで常にリンク機構２３０を前方から見えないように覆うことができる範囲で動作するようになっている。また、演出部材２０１が隠蔽部材２０２に対して下方に位置する第２状態であっても、隠蔽部材２０２に形成された接続用開口２０２ａの前側に位置する演出部材２０１の上端は、接続用開口２０２ａの上縁よりも上方に位置するようになっており、演出部材２０１が接続用開口２０２ａの前側を覆って接続用開口２０２ａが前方から見えないようにしている。これにより、確実にリンク機構２３０が隠蔽されるようになり、遊技盤１の装飾性を向上させることができる。すなわち、上述のように、駆動源２１５を凹室２１の外側に配することで、凹室２１外から凹室２１内の演出部材２０１にリンク機構２３０を延設する必要があるが、このような配置構成とした場合、演出部材２０１が動作した際にリンク機構２３０が遊技者に見えてしまい、見た目の印象が悪く、せっかくの装飾性が低下してしまう虞があるが、隠蔽部材２０２を設けることによって常にリンク機構２３０を隠蔽でき、遊技盤１の装飾性を向上させることができる。
【００７０】
以上のことから、センターケース２０は、演出部材２０１の後方に位置し、該演出部材２０１と駆動源２１５とを接続して該駆動源２１５の動作に伴い演出部材２０１を動作可能とするリンク機構２３０と、凹室２１内に固定され、リンク機構２３０と演出部材２０１との間に位置する隠蔽部材２０２と、を備え、演出部材２０１は、該演出部材２０１と隠蔽部材２０２とで常にリンク機構２３０を前方から見えないように覆うことができる範囲で動作可能であることとなる。
【００７１】
また、演出部材２０１は、駆動源２１５の動作に伴い隠蔽部材２０２を被覆する第１状態と、隠蔽部材２０２を前方から視認可能とする第２状態との間で動作するようにしたこととなる。
【００７２】
なお、以上の実施形態においては、可動演出装置２００をセンターケース２０の上部に設け、演出部材２０１が上下に移動するようにするとしたが、これに限られるものではなく、可動演出装置２００の配設位置や演出部材２０１の移動方向は任意である。
【００７３】
以上のような遊技機１００は、遊技盤１と、該遊技盤１に形成された開口部１ｃに取り付けられ、前面側が開口した凹室２１を有するセンターケース２０とを備えた遊技機１００であって、センターケース２０は、凹室２１を形成する凹室形成壁２３と、凹室２１内に配設され、該凹室２１内で動作可能な演出部材２０１と、演出部材２０１を駆動する駆動源２１５と、を備え、駆動源２１５を、凹室形成壁２３の外周面および遊技盤１の裏面に隣接するように配設するとともに、該駆動源２１５の全部または一部を開口部１ｃの外側の位置に配設するようにしている。
【００７４】
したがって、センターケース２０は、凹室２１を形成する凹室形成壁２３と、凹室２１内に配設され、該凹室２１内で動作可能な演出部材２０１と、演出部材２０１を駆動する駆動源２１５と、を備え、駆動源２１５を、凹室形成壁２３の外周面および遊技盤１の裏面に隣接するように配設するとともに、該駆動源２１５の全部または一部を開口部１ｃの外側の位置に配設するようにしたので、遊技盤１のスペースを有効に利用でき、装飾性が向上する。すなわち、駆動源２１５が凹室２１の側方に配されるので、その分、センターケース２０の後方のスペースを有効に利用できる。また、センターケース２０の奥行きを広げることも可能となるので、センターケース２０の内部のスペースを有効に利用できるようにもなる。これによって、大型の液晶表示装置や複雑な装飾部材をセンターケース２０に配置することができて、遊技盤１の装飾性を向上させることができる。さらに、立体的な可動役物を配設できるとともに、動作する空間を充分にとることができ、多彩な演出が可能となる。
【００７５】
また、センターケース２０は、演出部材２０１の後方に位置し、該演出部材２０１と駆動源２１５とを接続して該駆動源２１５の動作に伴い演出部材２０１を動作可能とするリンク機構２３０と、凹室２１内に固定され、リンク機構２３０と演出部材２０１との間に位置する隠蔽部材２０２と、を備え、演出部材２０１は、該演出部材２０１と隠蔽部材２０２とで常にリンク機構２３０を前方から見えないように覆うことができる範囲で動作可能となっている。
【００７６】
したがって、センターケース２０は、演出部材２０１の後方に位置し、該演出部材２０１と駆動源２１５とを接続して該駆動源２１５の動作に伴い演出部材２０１を動作可能とするリンク機構２３０と、凹室２１内に固定され、リンク機構２３０と演出部材２０１との間に位置する隠蔽部材２０２と、を備え、演出部材２０１は、該演出部材２０１と隠蔽部材２０２とで常にリンク機構２３０を前方から見えないように覆うことができる範囲で動作可能であるので、確実にリンク機構２３０が隠蔽されるようになり、遊技盤１の装飾性を向上させることができる。すなわち、上述のように、駆動源２１５を凹室２１の外側に配することで、凹室２１外から凹室２１内の演出部材２０１にリンク機構２３０を延設する必要があるが、このような配置構成とした場合、演出部材２０１が動作した際にリンク機構２３０が遊技者に見えてしまい、見た目の印象が悪く、せっかくの装飾性が低下してしまう虞があるが、隠蔽部材２０２を設けることによって常にリンク機構２３０を隠蔽でき、遊技盤１の装飾性を向上させることができる。
【００７７】
また、演出部材２０１は、駆動源２１５の動作に伴い隠蔽部材２０２を被覆する第１状態と、隠蔽部材２０２を前方から視認可能とする第２状態との間で動作するようにしている。
【００７８】
したがって、演出部材２０１は、駆動源２１５の動作に伴い、隠蔽部材２０２を被覆する第１状態と、隠蔽部材２０２を前方から視認可能とする第２状態との間で動作するので、隠蔽部材２０２を、リンク機構２３０を隠蔽する目的の他に、演出にも用いることができ、凹室２１内における装飾部分の面積を大きくでき、遊技盤１の装飾性を向上できる。すなわち、演出部材２０１の動作による演出に加え、演出部材２０１に被覆されて見えない状態の隠蔽部材２０２が視認可能になることによる演出を行うことができ、装飾性を向上できる。さらに、隠蔽部材２０２の視認可能となる部分に装飾を施したり、発光手段（ＬＥＤ基板２０３）や表示手段を設けたりすれば、より演出効果を高められる。
【００７９】
なお、本発明の遊技機１００は、遊技機として、前記実施の形態に示されるようなパチンコ遊技機に限られるものではなく、例えば、その他のパチンコ遊技機、アレンジボール遊技機、雀球遊技機、パチスロ遊技機などの全ての遊技機に適用可能である。
【００８０】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１      遊技盤
１ｃ    開口部
２０    センターケース
２１    凹室
２３    凹室形成壁
１００  遊技機
２０１  演出部材
２０２  隠蔽部材
２１５  駆動源
２３０  リンク機構
【図１】
0005486661.tif 000002
【図２】
0005486661.tif 000003
【図３】
0005486661.tif 000004
【図４】
0005486661.tif 000005
【図５】
0005486661.tif 000006
【図６】
0005486661.tif 000007
【図７】
0005486661.tif 000008
【図８】
0005486661.tif 000009
【図９】
0005486661.tif 000010
【図１０】
0005486661.tif 000011